(57)【特許請求の範囲】
【請求項１】
系統制御のためのリレー演算処理装置に併用の複数母線から母線電圧をそれぞれ取り込み、代表してその一つを演算入力とする系統制御における導入母線電圧選択方法において、
ディジタル形保護リレーの自動監視機能を用いて指定の順序が先の甲母線側の電圧検出用アナログ回路が不良か否かを判断する第１ステップと、
第１ステップによる判断でアナログ回路が不良でない時は乙母線切り替えフラグのリセットを行う第２ステップと、
第１ステップによる判断でアナログ回路が不良の時は甲母線電圧を導入中か否かを判断する第３ステップと、
第３ステップで甲母線電圧導入中なら、乙母線側の電圧検出用アナログ回路が不良か否かを判断する第４ステップと、
第４ステップによる判断でアナログ回路が不良でない時は乙母線切り替えフラッグのセットを行う第５ステップと、
第５ステップ、または、第２ステップの乙母線切り替えフラグのリセット処理の後、または、第３ステップで甲母線電圧を導入中でない判断後、または、第４ステップで乙母線側の電圧検出用アナログ回路が不良である判断後の場合には、再度甲母線側の電圧検出用アナログ回路が不良か否かを判断する第６ステップと、
第６ステップによる判断で甲母線側の電圧検出用アナログ回路が不良でなければ、演算入力の電圧として甲母線電圧を選択する第７ステップと、
第６ステップで甲母線側電圧検出用アナログ回路が不良と判断したならば、乙母線切り替えフラッグがＯＮか否かを判断する第９ステップと、
第９ステップによる判断で母線切り替えフラグがＯＮなら、演算入力の電圧に乙母線電圧を選択する第１０ステップと、
第７ステップまたは、第１０ステップで選択した電圧を用いてリレー演算をする第８ステップと、
第９ステップによる判断で母線切り替えフラグがＯＮでないなら、リレーロックをする第１１ステップとからなり、
上記ステップ手順によって、母線併用状態にある系統では、指定順序が先の甲母線電圧を導入してリレー演算処理が行われ、甲母線側の電圧検出用アナログ回路が不良によって導入母線電圧の指定順序が次位の乙母線電圧に切り換わり、乙母線電圧を用いてリレー演算処理が行われ、甲母線側の検出用アナログ回路が正常に復帰した場合は、リレー演算入力は甲母線電圧に切り換わることを特徴とする系統制御における導入母線電圧選択方法。
【発明の詳細な説明】
【０００１】
【発明の属する技術分野】
本発明は、電力系統の自動制御、例えば電圧・無効電力（ＶＱ）の自動制御に際してリレー演算処理装置に導入する母線電圧を選択する系統制御における導入母線電圧選択方法に関する。
【０００２】
【従来の技術】
ＶＱ装置は、系統電圧の適正維持と経済的無効電力の分担を図るためのものであり、一般に発電機を除く電圧・無効電力制御機器（負荷時タップ切換変圧器、同期調相機、電力用コンデンサ、分路リアクトル等）を選択制御して電圧・無効電力制御を有効的に行う役割を担っている。
【０００３】
リレー演算処理装置に母線電圧を取り込む場合、複数母線を併用している、例えば図２に示すように甲母線Ｂ１と乙母線Ｂ２をタイ遮断器ＣＢｔにより接続している場合は、各母線Ｂ１、Ｂ２に計器用変圧器ＰＴ１、ＰＴ２を設置し、その２次電圧をリレー演算処理装置ＲＥのＡ／Ｄ変換器ＡＤ１、ＡＤ２に入力するようにしている。リレー演算処理装置ＲＥでは、導入母線電圧が健全電圧か無電圧（例えば、計器用変圧器の２次定格電圧が１１０Ｖの時、検出電圧が２次電圧値の相電圧表現で０〜７０Ｖに無電圧範囲を設定する）かを判定した後、所要のリレー演算処理を行いその結果に基づいて調整リレーの動作を制御する。即ち、リレー出力接点に応動する制御機器用開閉器の開閉動作で電圧・無効電力制御を行うようにしている。その際の導入母線電圧の選択手順を図３に示す。
【０００４】
まず、ステップ３１で甲・乙母線の電圧を検出しその結果に基づいて甲母線が無電圧か否かを判定する（３２）。Ｎｏの時は、演算に使用する母線電圧Ｖを甲母線電圧とし（３３）、電圧Ｖを用いてリレー演算処理を行う（３４）。判断ステップ（３２）でＹｅｓの時は、乙母線が無電圧か否かを判定する（３５）。Ｎｏであれば母線電圧Ｖを乙母線電圧とし（３６）、リレー演算処理を行う（３４）。乙母線無電圧との判定結果（Ｙｅｓ）であれば、リレーをロックする（３７）。
【０００５】
上述の無電圧の検出は、３相入力から正相電圧を求め、
甲母線正相電圧＜ε
乙母線正相電圧＜ε
の大小関係に基づいて行っている。ここでは、ε＝０〜７０〔Ｖ〕（ＰＴ設置点の２次電圧の相電圧表現）としている。
【０００６】
【発明が解決しようとする課題】
このように、正相電圧が設定された無電圧範囲内か否かで演算入力としての取捨選択を行うと、ＶＱ装置側に故障があって誤った電圧値となった時にも、その電圧を用いて演算処理し、不適切な電圧・無効電力制御となる恐れがある。
【０００７】
例えば、計器用変圧器の２次側の各線間に定格電圧（１１０Ｖ）が印加されている場合に、Ａ／Ｄ変換器の故障により１相の入力がなくなると、正相電圧は７３．３Ｖとなる。つまり、無電圧範囲を越えた電圧値となる。このため、リレー演算処理装置ＲＥではその電圧を用いてリレー演算処理を行うことになり、誤った演算結果で調整リレーを制御することになる。
【０００８】
そこで本発明は、上記課題を解決し、たとえ内部故障があっても、常時適正な演算入力を取り込むことができる系統制御における導入母線電圧選択方法を提供することを目的とする。
【０００９】
【課題を解決するための手段】
本発明は、系統制御のためのリレー演算処理装置に併用の複数母線から母線電圧をそれぞれ取り込み、代表してその一つを演算入力とする系統制御における導入母線電圧選択方法において、ディジタル形保護リレーの自動監視機能を用いて指定の順序が先の甲母線側の電圧検出用アナログ回路が不良か否かを判断する第１ステップと、第１ステップによる判断でアナログ回路が不良でない時は乙母線切り替えフラグのリセットを行う第２ステップと、第１ステップによる判断でアナログ回路が不良の時は甲母線電圧を導入中か否かを判断する第３ステップと、第３ステップで甲母線電圧導入中なら、乙母線側の電圧検出用アナログ回路が不良か否かを判断する第４ステップと、第４ステップによる判断でアナログ回路が不良でない時は乙母線切り替えフラッグのセットを行う第５ステップと、第５ステップ、または、第２ステップの乙母線切り替えフラグのリセット処理の後、または、第３ステップで甲母線電圧を導入中でない判断後、または、第４ステップで乙母線側の電圧検出用アナログ回路が不良である判断後の場合には、再度甲母線側の電圧検出用アナログ回路が不良か否かを判断する第６ステップと、第６ステップによる判断で甲母線側の電圧検出用アナログ回路が不良でなければ、演算入力の電圧として甲母線電圧を選択する第７ステップと、第６ステップで甲母線側電圧検出用アナログ回路が不良と判断したならば、乙母線切り替えフラッグがＯＮか否かを判断する第９ステップと、第９ステップによる判断で母線切り替えフラグがＯＮなら、演算入力の電圧に乙母線電圧を選択する第１０ステップと、第７ステップまたは、第１０ステップで選択した電圧を用いてリレー演算をする第８ステップと、第９ステップによる判断で母線切り替えフラグがＯＮでないなら、リレーロックをする第１１ステップとからなり、
上記ステップ手順によって、母線併用状態にある系統では、指定順序が先の甲母線電圧を導入してリレー演算処理が行われ、甲母線側の電圧検出用アナログ回路が不良によって導入母線電圧の指定順序が次位の乙母線電圧に切り換わり、乙母線電圧を用いてリレー演算処理が行われ、甲母線側の検出用アナログ回路が正常に復帰した場合は、リレー演算入力は甲母線電圧に切り換わることを特徴とするものである。
【００１０】
【発明の実施の形態】
図１に本発明の一実施形態を示す。まず、ステップ１で指定順序が先（上位）の甲母線側の電圧検出用アナログ回路が不良か否かを判断する。異常を検出する手段は、ディジタル形保護リレーに用いる自動監視機能等を応用する。判断ステップ１の判断がＮｏの時は乙母線切り替えフラグのリセットを行い（２）、Ｙｅｓの時は甲母線電圧を導入中か否かを判断する（３）。甲母線電圧導入中（Ｙｅｓ）の場合は、乙母線側の電圧検出用アナログ回路が不良か否かを判断し（４）、その判断がＮｏであれば乙母線切り替えフラッグのセットを行い（５）、この後、再度甲母線側の電圧検出用アナログ回路が不良か否かを判断する（６）。これは、乙母線切り替えフラグのリセット処理（２）の後と、甲母線電圧を導入中か否かの判断（３）がＮｏの場合と、乙母線側の電圧検出用アナログ回路が不良か否かの判断（４）がＹｅｓの場合も同様とする。
【００１１】
甲母線側の電圧検出用アナログ回路が不良か否かの再度の判断（６）でＮｏであれば、演算入力の電圧Ｖとして甲母線電圧を選択し（７）、この電圧Ｖを用いてリレー演算をする（８）。甲母線側電圧検出用アナログ回路が不良か否かの再度の判断（６）でＹｅｓであれば、乙母線切り替えフラッグＯＮか否かを判断する（９）。その判断がＹｅｓの場合は演算入力の電圧Ｖに乙母線電圧を選択し（１０）、甲母線選択時と同様に電圧Ｖを用いてリレー演算をする（８）。Ｎｏの場合は、リレーロックをする（１１）。
【００１２】
上記手順によって、母線併用状態にある系統では、通常指定順序が先の甲母線電圧を導入してリレー演算が行われる。甲母線アナログ回路不良（零相・逆相監視不良、Ａ／Ｄ変換器の精度不良等）が発生した場合には、リレー演算処理装置で求めている甲母線正相電圧は疑わしい値となる。このため、異常検出に伴って導入母線電圧の指定順序が次位の乙母線電圧に切り換わり、乙母線電圧を用いてリレー演算処理が行われる。但し、甲母線側の検出用アナログ回路が正常状態に復帰した場合は、リレー演算入力は甲母線電圧に切り換わる。
【００１３】
換言すれば、指定順序が後の他の母線側の電圧検出用アナログ回路がバックアップ的存在となり、故障回復時には元の状態に復帰する。従って、内部故障があっても、常時適正な母線電圧がリレー演算入力となり、電圧・無効電力制御といった系統制御が適切に行われる。
【００１４】
【発明の効果】
以上のように本発明によれば、系統が母線併用の運用状態にある場合、一つの母線の電圧検出用のアナログ回路に故障が発生しても、他の母線のアナログ回路が健全であればバックアップ的存在となることから、リレー演算の入力としては常時、適正な電圧値を用いることができるようになり、適切な系統制御が期待できる。
【図面の簡単な説明】
【図１】本発明の一実施形態を示すフローチャート。
【図２】併用状態の複数母線から母線電圧を導入する回路の構成例を示す単線接続図。
【図３】従来例を示すフローチャート。
【符号の説明】
１…甲母線側アナログ回路が不良か否かの判断
２…乙母線切り替えフラッグリセット処理
３…甲母線電圧導入中か否かの判断
４…乙母線側アナログ回路が不良か否かの判断
５…乙母線切り替えフラッグセット処理
６…甲母線側アナログ回路が不良か否かの判断
７…リレー演算入力電圧Ｖを甲母線電圧とする処理
８…電圧Ｖを用いたリレー演算処理
９…乙母線切り替えフラッグＯＮか否かの判断
１０…リレー演算入力電圧Ｖを乙母線電圧とする処理
１１…リレーロック処理
【図１】
0003564856.tif 000002
【図２】
0003564856.tif 000003
【図３】
0003564856.tif 000004